(57)【特許請求の範囲】
【請求項１】
グレーチング（４）を備えた排水槽（３）と、防水板（１）がその側壁内面（２−ａ）に沿って浮力により垂直方向に昇降可能となるように収容した貯留槽（２）とからなる防水装置であって、排水槽（３）と貯留槽（２）とは互いの一側壁（３−ａ）、（２−ａ）同士で接合一体化されており、その側壁（３−ａ）、（２−ａ）には、排水槽（３）に流入する排水が一定の水位を超えると排水槽（３）から貯留槽（２）へと流入するためのスリット（５）、（５’）が設けられており、
前記貯留槽（２）の左右端に相対向して一対のガイド枠（１２）、（１２）が設けられ、該ガイド枠（１２）、（１２）に沿って防水板（１）が昇降するように構成されている防水装置において、前記一対のガイド枠（１２）、（１２）のいずれかの所定高さ位置に、防水板（１）が一定位置に上昇した時にこれを検知するとともに、他の電気式防水装置の防水板を作動させる信号を発する検知装置（１３）を設けたことを特徴とする防水装置。
【請求項２】
前記側壁（３−ａ）、（２−ａ）同士が、共通の側壁（３−ａ−ｂ）から構成されていることを特徴とする請求項１に記載の防水装置。
【請求項３】
前記スリットが間欠的スリット（５”）、（５”）、（５”）から構成されていることを特徴とする請求項１又は２に記載の防水装置。
【発明の詳細な説明】
【技術分野】
【０００１】
本発明は、台風や集中豪雨、あるいはゲリラ豪雨などによって、急激な増水が発生した際に、地下道や建物などの出入り口から水が浸入するのを防止するためのグレーチングと防水板が一体化した防水装置に関する。
【背景技術】
【０００２】
従来よりビル、地下街等の施設に設置する防水板は、その出入り口において床面に設けた水平軸を介して防水板を垂直方向に回転させて床面から起立させる機構のもの（例えば、特許文献１参照）、またはその左右に相対向して設置する一対のガイド枠に沿って防水板が垂直に昇降する機構のもの（例えば、特許文献２参照）などがある。
【０００３】
しかしながら、いずれの機構のものも操作する人員が必要であるとか、または電気的エネルギーを使用しているため、災害時にありがちな操作人員がいない、または、停電のため防水板が作動しないという不都合がある。
そこで、操作人員が不要、あるいは電気的エネルギー不用の防水板が従来より望まれていた。
【先行技術文献】
【特許文献】
【０００４】
【特許文献１】特開２００４−９２２７０
【特許文献２】特開２００３−３１４１５５
【発明の概要】
【発明が解決しようとする課題】
【０００５】
本発明は、以上に述べた従来の防水板が有していた問題点を解決しようとするもので、作動エネルギーとして浮力を利用し、防水板を自動的に垂直に浮上させるようにし、操作人員や電気的エネルギーを必要とせず、且つグレーチング（格子状の蓋）を備えた排水槽と防水板を一体化して構成したことで、据付や設置作業が簡単にできる防水装置を提供することを目的とするものである。
【課題を解決するための手段】
【０００６】
発明は上記の目的を達成するために、グレーチングを備えた排水槽と防水板を浮力により垂直方向に昇降可能なように収容した貯留槽とを一体化して構成したものである。
【０００７】
即ち、本発明は、以下の通りの構成からなるものである。
１．グレーチング（４）を備えた排水槽（３）と、防水板（１）がその側壁内面（２−ａ）に沿って浮力により垂直方向に昇降可能となるように収容した貯留槽（２）とからなる防水装置であって、排水槽（３）と貯留槽（２）とは互いの一側壁（３−ａ）、（２−ａ）同士で接合一体化されており、その側壁（３−ａ）、（２−ａ）には、排水槽（３）に流入する排水が一定の水位を超えると排水槽（３）から貯留槽（２）へと流入するためのスリット（５）、（５’）が設けられており、
前記貯留槽（２）の左右端に相対向して一対のガイド枠（１２）、（１２）が設けられ、該ガイド枠（１２）、（１２）に沿って防水板（１）が昇降するように構成されている防水装置において、前記一対のガイド枠（１２）、（１２）のいずれかの所定高さ位置に、防水板（１）が一定位置に上昇した時にこれを検知するとともに、他の電気式防水装置の防水板を作動させる信号を発する検知装置（１３）を設けたことを特徴とする防水装置。
２．前記側壁（３−ａ）、（２−ａ）同士が、共通の側壁（３−ａ−ｂ）から構成されていることを特徴とする上記１に記載の防水装置。
３．前記スリットが間欠的スリット（５”）、（５”）、（５”）から構成されていることを特徴とする上記１〜３のいずれか１つに記載の防水装置。
【発明の効果】
【０００８】
本発明の作用・効果は、災害時にありがちな操作人員の不足や停電に対応でき、そして複雑な機械機構を有しないのでメンテナンスを不要とし、維持コストが安く、且つグレーチングを備えた排水槽と防水板を一体化したことにより、新規、又は既存の建物の出入り口等に、大掛かりな工事を必要とせずに埋設固定すれば良いので、工事期間の短縮や施工費の削減が可能となる。
【図面の簡単な説明】
【０００９】
【図１】本発明の防水装置の垂直断面図であり、図１−（ａ）〜（ｃ）は、防水板が浮上して浸水を防ぎ、やがて激しい降雨もおさまって、防水板が下降する態様を時系列に示した図である。
【図２】本発明の防水装置を地下鉄の入り口に設置した場合の全体斜視図である。
【図３】本発明の防水装置の防水板（１）にガイド枠（１２）、（１２）と、該ガイド枠（１２）、（１２）のいずれかに他の電気式防水板を作動させる検知装置（１３）を設置した場合の斜視図である。
【図４】本発明の防水装置の側壁構造とスリット（切り欠き）構造の一例を示す概略図である。
【発明を実施するための形態】
【００１０】
以下、本発明の実施の形態について図１〜４に基づいて説明する。
図１は、本発明の防水装置を地下道や建物などの入り口６に設置した場合の垂直断面図であり、図１−（ａ）〜（ｃ）は、台風や集中豪雨などによって、急激に雨水量が増大し、大量の出水となり、防水板が浮上して浸水を防ぎ、やがて激しい降雨もおさまって、防水板が下降する態様を時系列に示した図である。
図１−（ａ）では、通常の雨降り状態において、グレーチング４を通して流入する雨水イは排水槽３の一端に結合された側溝（図示せず）へと排水され、排水槽３中の水位は一定以下に保たれ、防水板１は貯留槽２内で最下位の位置に維持されている。
【００１１】
その後、図１−（ｂ）では、急激に雨水量が増大し、大量の出水となった場合、排水槽３中の雨水イは上記側溝（図示せず）へ排水しきれず、その結果、排水槽３中で水位が上昇し、やがて排水槽３と貯留槽２とを一体に接合している側壁３−ａ、２−ａに設けられたスリット（切り欠き）５、５’を通して、該側壁２−ａと防水板１との間隙を介して貯留槽２内に流入して貯留水ロとなり該底部に蓄積し、同時に防水板１は浮力により垂直方向に上昇して大量の出水１０をせき止めることが出来る。
ついで、図１−（ｃ）では、急激な降雨がおさまって、雨水量が減少し、排水槽３中の雨水イの水位が上記スリット（切り欠き）５、５’よりも低下すると、貯留槽２中にたまった貯留水ロも貯留槽２底部に連結された排水管９を通して排出され、それと同時に防水板１は自重により垂直方向に降下して元の貯留槽２底部に復帰して止水作業を終了する。
【００１２】
また図２は本発明の防水装置の一設置例で、防水装置を地下鉄の入り口に設置した場合の全体斜視図である。
そして、図３−（ａ）〜（ｂ）は、貯留槽２の左右端に相対向して一対のガイド枠１２、１２が設けられ（一方のみ図示）、該ガイド枠１２、１２に沿って防水板１が昇降する様子を示した概略図である。この該ガイド枠１２、１２により、防水板１はよりスムースに垂直方向に昇降することが出来る。
また、図３−（ａ）の１３は、本発明の防水装置を他の電気エネルギーを利用する防水装置の防水板を作動させる検知装置として利用する態様を示す概念図であり、ガイド枠１２、１２のいずれかの所定高さ位置にリミットスイッチ等の検知装置を設けておき、防水板１が一定位置に上昇した時（図３−（ｂ）参照）これを検知して信号を発し、本発明の防水装置から離れて設けられた電気駆動式の防水装置の防水板（例えば、地下駐車場出入り口に設けられた防水板）を作動させるよう利用することができる。
【００１３】
図４−（ａ）は、前記側壁３−ａ、２−ａ同士が、共通の側壁３−ａ−ｂから構成されており、しかもスリット（切り欠き）形状が間欠的に設けられた一連のスリット（切り欠き）５”である場合を示す斜視図である。この一連のスリット（切り欠き）に代えて細長い一つのスリット（切り欠き）であってもよいが、前者の方が前記側壁３−ａ−ｂの強度が低下せず好ましい。
図４−（ｂ）は、図４−（ａ）のＡ−Ａ方向断面図である。
【００１４】
なお、使用材料としては、グレーチング４、排水槽３、防水板１、貯留槽２、ガイド枠１２は強度、耐久性に優れるものであればいずれの材質の物でも制限されずに使用できるが、中でも金属、特にステンレス、アルミが好ましい。
防水板１は浮力により速やかに上昇できるよう中空体とし、一方大量の出水にも耐えられるよう厚み等の寸法を設計することが必要である。
【符号の説明】
【００１５】
１  防水板
２  貯留槽
２−ａ  側壁
３  排水槽
３−ａ  側壁
３−ａ−ｂ  側壁
４  グレーチング
５  スリット
５’  スリット
５”  間欠的スリット
６  建物入り口
７  建物入り口の内の通路断面
８  建物入り口の外の通路断面
９  排水管
１０  出水
１１  地下鉄入口
１２  ガイド枠
１３  検知装置
イ  雨水
ロ  貯留水
【図１】
0005896659.tif 000002
【図２】
0005896659.tif 000003
【図３】
0005896659.tif 000004
【図４】
0005896659.tif 000005